(57)【要約】ショーウインドウのガラスのような透明板３の観察側Ａとなる前面に前部透明シート２ｆを粘着材で貼付し、透明板３の映像投写側Ｂとなる後面に前部透明シート２ｆに対向して広角光拡散２ｒを粘着材で貼付して背面透過型スクリーンが構成される。前部透明シート２ｆは、前面に水平方向に平行に延びる多数の三角形断面の微小突条４を有するとともに、各三角形断面微小突条４の上側（または下側）を向く一方の側面には遮光膜５が形成され、各三角形断面微小突条の他方の側面７は光透過可能とされる。これによって、明光の下でも、観察側でスクリーンの表面に反射像の映り込みがなく、黒レベルの締まった高精彩の映像を得ることができ、しかも、大画面のスクリーンを構成することができる背面透過型スクリーンが得られる。
2002056112.tif 000002
【特許請求の範囲】
【請求項１】
透明板と、この透明板の観察側となる前面に貼付された前部透明シートと、前記透明板の映像投写側となる後面に前部透明シートに対向して貼付された広角光拡散シートとから構成され、前記前部透明シートは、その前面に水平方向に平行に延びる多数の三角形断面の微小突条を有するとともに、各三角形断面微小突条の上側または下側を向く一方の側面には遮光膜が形成されており、各三角形断面微小突条の他方の側面は光透過可能とされていることを特徴とする背面透過型スクリーン。
【請求項２】
前記前部透明シートおよび前記広角光拡散シートが、いずれも可撓性材料により構成され、これらシートの前記透明板の側の面が粘着面とされていることを特徴とする請求項１記載の背面透過型スクリーン。
【請求項３】
前記透明板が建造物のウインドウの透明板であり、この透明板の外側が観察側であり、内側が映像投写側であることを特徴とする請求項１記載の背面透過型スクリーン。
【請求項４】
前記透明板が空中に位置する移動可能な透明板であることを特徴とする請求項１記載の背面透過型スクリーン。
【請求項５】
観測側となる前面に、水平方向に平行に延びる多数の三角形断面の微小突条を有するとともに、各三角形断面微小突条の上側または下側を向く一方の側面に遮光膜が形成され、かつ観測側となる後面が平滑をなす前部透明シートと、この前部透明シートの前記平滑な後面に直接貼付された広角光拡散シートとから構成されていることを特徴とする背面透過型スクリーン。
【請求項６】
前記前部透明シートおよび前記広角光拡散シートが、いずれも可撓性材料により構成され、全体としてロール状に巻き取り可能に構成されていることを特徴とする請求項５記載の背面透過型スクリーン。
【請求項７】
前記前部透明シートおよび前記広角光拡散シートが一定の平面形状を有し、任意位置に移動、設置可能になっていることを特徴とする請求項５記載の背面透過型スクリーン。
【発明の詳細な説明】
技  術  分  野
本発明は、データプロジェクタ（例えば、液晶プロジェクタ）やビデオプロジェクタ等の映像投写装置からの投映像を背面から受けて、その反対側の前面の観測側で投映像を再現する背面透過型スクリーンに関する。
背  景  技  術
ショーウインドウやガラス窓の内側面に、プロジェクタの投写映像を映し出すための透過型スクリーンの方式としては、光拡散板、光干渉ホログラムシート、液晶シャッタ等のいずれかをガラス板面に直接貼り付け、それらの面に向かって内側からプロジェクタ映像を投写する方式、透明ガラスや透明アクリル樹脂板でホログラムシートを挟むことによって透過型スクリーンを構成し、このスクリーンに向かってプロジェクタ映像を投写する方式等が知られており、これらは、案内、広告、映像情報等の再現用の背面透過型スクリーンとして実用化されている。一方、半透明スクリーンの映像を投写していながら、投写機の有る内側が透けて見えるようなスクリーンも登場している。
ところが、上記のいずれの投写スクリーンも、太陽光のような明光下にあっては、観察側においてガラス面に映り込む反射像や外部光の強さに対抗できず、観察側で見る投写映像はコントラストの弱い色調をもった不鮮明な映像になってしまう。
また、ホログラムタイプの透過スクリーンは、プロジェクタの投写角度に３５度前後の厳しい制約があり、使用プロジェクタは投映像の台形歪み補正が大幅に出来るものに限定され、かつ、観測側では視野角が垂直方向角度で２０度、水平方向角度で３０度を越えると映像に色分散が生じて映像が不鮮明になるという欠点と共に、大画面のスクリーンを構成するのは非常に困難であるという問題がある。
また、大画面映像表示装置としては、従来、ＬＥＤランプを敷き詰めた構成のものが広く使用されているが、大画面映像表示装置はきわめて高価で設置工事に手数がかかる欠点がある。
よって、本発明の課題は、明光の下でも、観察側でスクリーンの表面に反射像の映り込みがなく、黒レベルの締まった高精彩の映像を得ることができ、しがも、大画面のスクリーンを安価に構成することができる新規な背面透過型スクリーンを得ることにある。
発  明  の  開  示
本発明によれば、上記課題は、次のような構成の背面透過型スクリーン、すなわち、透明板と、この透明板の観察者側となる前面に貼付された前部透明シートと、前記透明板の映像投写側となる後面に前部透明シートに対向して貼付された広角光拡散シートとから構成され、前記前部透明シートは、その前面に水平方向に平行に延びる多数の三角形断面の微小突条を有するとともに、各三角形断面微小突条の上側または下側を向く一方の側面には遮光膜が形成されており、各三角形断面微小突条の他方の側面は光透過可能とされていることを特徴とする背面透過型スクリーンにより解決される。
前記透明板は、建造物のウインドウの透明板であってもよいし、空中に位置させる可動の透明板であってもよい。そして、この透明板の外側が観察側となり、内側が映像投写側となる。
前部透明シートおよび広角光拡散シートは、いずれも可撓性材料により構成し、これらシートの前記透明板の側の面を粘着面とすることができる。
また、本発明の前記課題は、次のような構成の背面透過型スクリーン、すなわち、観測側となる前面に、水平方向に平行に延びる多数の三角形断面の微小突条を有するとともに、各三角形断面微小突条の上側または下側を向く一方の側面に遮光膜が形成され、かつ観測側となる後面が平滑をなす前部透明シートと、この前部透明シートの前記平滑な後面に直接貼付された広角光拡散シートとから構成されている背面透過型スクリーンによっても解決することができる。
前部透明シートおよび広角光拡散シートは、いずれも可撓性材料により構成し、背面透過型スクリーンを全体としてロール状に巻き取り可能に構成することができる。
また、前部透明シートおよび広角光拡散シートには一定の平面形状を与え、任意位置に移動、設置可能にすることもできる。
発明を実施するための最良の形態
以下、図面を参照して本発明の実施の形態につき説明する。
図１および図２は、本発明による背面透過型スクリーン２を示している。この背面透過型スクリーン２は、建造物のウインドウ、例えばショーウインドウのガラスのような透明板３（その一部のみを示す）と、この透明板３の観察側Ａとなる前面に貼付された前部透明シートと２ｆと、前記透明板３の映像投写側Ｂとなる後面に前部透明シート２ｆに対向して貼付された広角光拡散シート２ｒとから構成されている。映像投写側Ｂには、データプロジェクタ、ビデオプロジェクタ等の映像投写装置Ｐが設置され、広角光拡散シート２ｒへ向けて映像を投映するようになっている。この映像は、観察側Ａで観察される。
前部透明シート２ｆは、例えばウレタン系樹脂の素材からなり、特に図３に最もよく示すように、前面に水平方向に平行に延びる多数の三角形断面の微小突条４を有しており、各三角形断面微小突条４の上側を向く一方の側面には遮光膜５が形成されている。各三角形断面微小突条４の上側を向く一方の側面は、水平面でもよいし、または図示のように前方へ向かって僅かに下降する斜面であってもよい。傾斜遮光膜５は黒色膜とするのが最も好ましい。各三角形断面微小突条４の他方の側面、すなわち下側を向く側面７は傾斜が比較的急な下向き斜面となっていて、光透過可能とされている。隣接する微小突条４のピッチは０．３ｍｍ程度である。前部透明シート２ｆをウレタン系樹脂で形成した場合、実験によれば、太陽光に３年間露出させても僅かに黄変する程度で形状変化等が無く、耐候性に優れていることが判明した。
前部透明シート２ｆは全体的に可撓性を有し、丸めてロール状に巻くことが可能になっている。また、前部透明シート２ｆの後面は平滑面になっており、それに粘着材が施されている。そして、前部透明シート２ｆを透明板３に貼付する前の状態では、粘着材を覆うように剥離シート９が施されている。この剥離シート９を剥がすことによって露出した粘着材を、透明板３の前面に貼り付けることにより、前部透明シート２ｆは図１および図２に示すように透明板３の前面に貼り付けられる。
前記広角光拡散シート２ｒはポリエチレンテレフタレート、塩化ビニルシートのような可撓性樹脂の主体フィルムをもち、この主体フィルムの表面に、化学処理により形成された粗面１１をもつ表面層が添着され、また主体フィルムの背面には粘着材が施されている。そして、この粘着材を覆うように広角光拡散シート２ｒの背面に剥離シート１２が施されている。この剥離シート１２を剥がすことによって露出する粘着材で、広角光拡散シート２ｒを透明板３の後面に貼り付けることにより、広角光拡散シート２ｒは図１および図２に示すように透明板３の後面に取り付けられる。後部シート２ｒもロール状に巻くことができるように形成されている。広角光拡散シート２ｒは視野角が例えば１７０度程度であり、ホットスポット等の発生がないものとする。前部透明シート２ｆおよび広角光拡散シート２ｒは、いずれも、剥離シート９、１２で予め被覆した状態で用意される。粘着材の層まで含めた後部シート２ｒの厚さは例えば１２０μｍ程度である。なお、広角光拡散シート２ｒは、微細な縦（垂直）方向レンチキュラーレンズをもつシートで構成することもできる。
以上のように構成した本発明の実施の形態の作用を説明する。図５は、斜め上方に設置したプロジェクタＰからの映像投写光に関しての前部透明シートの作用を説明している。なお、この場合、プロジェクタＰは例えば天井に取り付けられる。図１に示すように、プロジェクタＰからの映像投写光は、水平に対して斜め下向きに広角光拡散シート２ｒに入射した後、透明板３を透過し、図５に示すように水平に対し角度θをなして斜め下向きに前部透明シート２ｆに入射する。プロジェクタＰからの映像投写光は、広角光拡散シート２ｒに到達して、そこに映像を形成する。この映像光は図５に矢印ｒ４で示すように前部透明シート２ｆ内を進み、矢印ｒ４、ｒ５、ｒ６で示すように前部透明シート２ｆから前方の観測側Ａに出射する。
図７は、前部透明シート２ｆの後面１４が反射面であると仮定した場合における、外光に関しての前部透明シート２ｆの作用を説明する図である。観測側Ａから入ってくる外光のうち、三角形断面微小突条４の下側面７に入射する外光Ｒ１はＲ２で示すように反射面１４で反射して、遮光膜５の内面に吸収される。一方、遮光膜５の外面に入射する外光Ｒ３、Ｒ４はそこで吸収される。また、他の外光Ｒ５は下側面７で反射して、Ｒ６で示すように下位の遮光膜５に吸収される。外光Ｒ５のうち前部透明シート２ｆに入ったものは、Ｒ７で示すように反射面１４で全反射して、Ｒ８で示すように遮光膜５の内面に吸収される。以上のほか、反射面１４を透過してその背後の面で反射する外光についても同様に吸収がなされるので、外光の表面反射はきわめて少ないものになる。このように、三角形断面突条４は、観測側Ａの上方から入射する光束を効果的に遮蔽するとともに、観測側Ａで様々な方向から入射する光束による表面反射を広範囲にわたって遮蔽する作用を果たす。これによって、下側面７を透過して観測側Ａへ出射する映像光により得られる映像の黒レベルが向上し、コントラストの良い映像を見ることができる。
上述のように、前部透明シート２ｆは映像の質の向上にあずかり、一方、広角光拡散シート２ｒは視野角が大きいので、視野角の大きい映像を見ることを可能にする。
図６に示す実施の形態は、図５に示す前部透明シート２ｆの構成を上下逆にしたものであり、各三角形断面微小突条４の下側を向く側面に遮光膜５が形成されており、映像光が透過する他方の側面７は上向きになっている。この実施の形態では、プロジェクタＰは例えば床上に設置される。したがって、プロジェクタＰからの映像投写光は斜め下方から広角光拡散シート２ｒに入射する。このプロジェクタＰからの映像投写光は、水平に対して斜め上向き広角光拡散シート２ｒに入射した後、透明板３を透過し、図６に示すように水平に対し角度θをなして斜め上向きに前部透明シート２ｆに入射する。プロジェクタＰからの映像投写光が、広角光拡散シート２ｒに到達して、そこで映像を形成する点は図５の実施の形態と同様である。映像光は図６に矢印ｒ７で示すように前部透明シート２ｆ内を進み、矢印ｒ７、ｒ８、ｒ９で示すように前部透明シート２ｆから前方の観測側Ａに出射する。なお、広角光拡散シート２ｒの構成および作用は、図５の実施の形態におけるとまったく同様である。
以上に説明した実施の形態では、前部透明シート２ｆおよび広角光拡散シート２ｒは、いずれも、剥離シート９、１２で被覆された粘着材層をそれぞれ背面および前面にもっている。このため、前部透明シート２ｆおよび広角光拡散シート２ｒのいずれも剥離シート９、１２を剥がして建造物のウインドウガラス等の透明板３の内外面に粘着材層によって手軽にかつ自由に貼ることができ、ディスプレースクリーンをきわめて簡単に構築することができる。しかも、前部透明シート２ｆおよび広角光拡散シート２ｒを繋いで面積を広げるようにすれば、大画面投写スクリーンの構築を容易に行うことができる。なお、前部透明シート２ｆおよび広角光拡散シート２ｒからの剥離シート９、１２の剥離後、これらシートの面にローラ掛けをして空気層（泡）を除去し、ウインドウガラス等の透明板３の内外面に水や活性剤を噴霧し、前部透明シート２ｆおよび広角光拡散シート２ｒを対向する位置にあるように透明板３の内外面に貼り付ける。粘着材が水分を含んでいるときは滑りやすいので、前部透明シート２ｆおよび広角光拡散シート２ｒを滑らせながら貼ることができ、これらのシート２ｆ、２ｒを繋ぐ場合でも繋ぎ部分に隙間ができないようにすることができる。
また、前部透明シート２ｆおよび広角光拡散シート２ｒは、一時的なイベントやショーの際に、既設のガラス窓や間仕切りガラスの両面に貼って簡易スクリーンを簡単に設置することができ、しかもイベントやショーの終了時には、前部透明シート２ｆおよび広角光拡散シート２ｒを透明板から剥すことによって、前の状態に容易に復元させることができ、したがって映像投写スクリーンの構築および撤去を経済的に行うことができる。
本発明で用いる前部透明シート２ｆおよび広角光拡散シート２ｒは前述のように可撓性をもっているから、任意の形状の透明板３に貼り付けることができる。図８はその一例を示す。この例では、透明板３は平面形状が円弧状の曲面板により形成されており、この曲面板に複数前部透明シート２ｆおよび広角光拡散シート２ｒを貼り付けて大画面を形成し、この大画面に複数のプロジェクタＰから映像映写光を投射するようにしている。また、前部透明シート２ｆおよび広角光拡散シート２ｒをウインドウの内外面に貼ることによって、万一ガラスが破損してもその飛散が防止される利点がある。
背面透過型スクリーン２へのプロジェクタＰからの映像投写光入射が休止状態にある場合には、スクリーンに何も表示されないため殺風景になる。この殺風景な状態を無くするために、プロジェクタＰとは別に画像投映機を設置することができる。その一例を図９に示す。図９において、１６は、画像投映機１５のＬＥＤランプのような光源であり、光源１６からその背後の反射鏡１７で反射した光は画像フィルム１８を透過し、レンズ１９を経て背面透過型スクリーン２の背後に入射する。これにより、背面透過型スクリーン２の前面に画像フィルム１８の画像が表示される。表示する画像の内容としては、例えば会社名、製品名等の広告がある。この場合の画像は静止画像であるが、映像フィルムを走馬灯のように回転させて画像を変えるようにしてもよい。
図１０に示す例では、画像投影機１５が天井等に支持したプロジェクタＰと並んで設置されていて、プロジェクタＰからの映像投写光と同じ方向に画像を投写する。そして、プロジェクタＰが休止した場合に、それを自動的に検知して画像投影機１５が作動するようになっている。このように、プロジェクタＰのほかに画像投影機１５を設けることによって、通常の映写がなされないときに背面透過型スクリーン２に広告や常夜灯の機能を発揮させるようにすることができる。
図１１および図１２は、本発明の背面透過型スクリーンの他の実施の形態を示す。図１、図２等に示したさきの実施の形態による背面透過型スクリーン２では、透明板３を挟んで、その観察側Ａとなる前面に前部透明シート２ｆが貼付され、映像投写側Ｂとなる後面に広角光拡散シート２ｒが貼付されているが、図１１および図１２に示す実施の形態の背面透過型スクリーン２Ａでは中間の透明板が省略され、観察側Ａの前部透明シート２ｆと、映像投写側Ｂの広角光拡散シート２ｒが相互に直接貼付されている。換言するならば、前部透明シート２ｆの、広角光拡散シート２ｒに面する側が中間の透明板を構成していると言える。前部透明シート２ｆおよび広角光拡散シート２ｒの構成は、さきに説明した実施の形態の場合とまったく同じである。
この背面透過型スクリーン２Ａはさきに説明した背面透過型スクリーン２と同様に可撓性シートであり、その基部には例えばポリエチレンテレフタレート製の誘導シート２１が接続されていて、この誘導シート２１を含めて背面透過型スクリーン２Ａ全体がロール状に巻き取り可能になっている。誘導シート２１の基部は巻取軸２３に巻き取り可能に取り付けてあり、巻取軸２３には誘導シート２１を巻き取る方向に付勢された巻取りスプリング２２が装着されている。したがって、背面透過型スクリーン２Ａを引き出した状態では、それを拘束しない限り背面透過型スクリーン２Ａは巻取りスプリング２２の力で巻取軸２３に巻き取られるようになる。背面透過型スクリーン２Ａの自由端には、錘り軸棒２４が取り付けられている。錘り軸棒２４の重量と巻取りスプリング２２の力が釣り合えば、背面透過型スクリーン２Ａは巻き取られない。または、錘り軸棒２４を指定位置で固定しても良い。
この実施の形態による背面透過型スクリーン２Ａは、巻取軸２３を天井等に支持しておいて、使用時に錘り軸棒２４を巻取りスプリング２２の力に抗して下方へ引き出す。それにより、背面透過型スクリーン２Ａの主体部が図１１および図１２に示すように平面状をなして下方へ垂下する。この際、錘り軸棒２４の重量により背面透過型スクリーン２Ａは張った状態に維持される。映像投写の際には当然のこととして前部透明シート２ｆの側が観察側Ａとなり、映像投写側Ｂに設置したプロジェクタから広角光拡散シート２ｒに映像光が投射される。
この形態の背面透過型スクリーン２Ａは、上方に水平状態で設置した巻取軸２３から下方へ引き出すように構成されているが、これに代り、図１３に示すように縦（垂直）方向の巻取軸２３Ａから水平方向に背面透過型スクリーン２Ａを引き出すように構成することもできる。この際、引き出された背面透過型スクリーン２Ａの平面性を維持するために、巻取軸２３Ａに続いて水平方向に直線状スクリーンガイド３０を設けて、背面透過型スクリーン２Ａをスクリーンガイド３０に沿って引き出すようにする。一方、図１４に示すように、巻取軸２３Ａに続いて水平方向に曲線状スクリーンガイド３１を設けて、背面透過型スクリーン２Ａをスクリーンガイド３１に沿って曲面状をなして引き出すようにすることもできる。
図１２に示す断面構成をもつ背面透過型スクリーン２Ａは、巻取軸２３、２３Ａに巻き取っておいて使用時に引き出すようにする代わりに、図１５に示すように可撓性の四角形シート状に予め形成しておいて、ワイヤ、チエーン等の吊下手段４０で吊り下げることもできる。背面透過型スクリーン２Ａを四角形シート状に保形するために、背面透過型スクリーン２Ａの上辺および下辺に沿って、例えばアルミニウム等の縁材４１、４２を取り付けるのが望ましい。吊下手段４０の下端は上側の縁材４１に接続される。縁材４２は、図１２に示す錘り棒軸２４と同様に背面透過型スクリーン２Ａを張った状態に維持する機能を果たす。なお、背面透過型スクリーン２Ａは可撓性のない自己保形性材料で形成することもできる。
図１６は、図１５に示す背面透過型スクリーン２Ａを吊り下げる他の手段を示す。この変形例では、背面透過型スクリーン２Ａの上側の左右の角部に吊下手段４０を掛ける掛止め部材４４が一体的に取り付けられている。この掛止め部材４４は例えば三角形状をなす部材で、吊下手段４０を掛ける孔４５をもっている。なお、この変形例では、背面透過型スクリーン２Ａは可撓性のない自己保形性材料で形成する必要がある。
図１７に示す変形例では、背面透過型スクリーン２Ａは、図１２に示したと同じ断面構成を有するとともに四角形状をなし、その４辺は四角形状のフレーム４６によって保持されている。この変形例では背面透過型スクリーン２Ａは可撓性をもつ材質で形成してもよく、また可撓性のない自己保形性材料で形成してもよい。フレーム４６によって保持された背面透過型スクリーン２Ａは、支持体４７にほぼ垂直状態で支持されている。支持体４７は、１対の基部４８と、それから立ち上げた１対の脚４９とからなり、背面透過型スクリーン２Ａのフレーム４６は１対の脚４９に上下に位置調節可能に支持されている。１対の脚４９は水平をなす連結材５０により連結されている。
図１５ないし図１７に示す変形例のいずれにおいても、その背面透過型スクリーン２Ａの光学的作用、効果は、図１１および図１２の背面透過型スクリーン２Ａの光学的作用、効果とまったく同じである。
図１８および図１９は、図１１および図１２の背面透過型スクリーン２Ａとまったく同じ背面透過型スクリーン２Ａの異なる取付けの態様を示す。図１８および図１９の態様では、背面透過型スクリーン２Ａは、図１、図２等に示したショーウインドウのガラスのような透明板３の映像投写側Ｂの面に取り付けられる。背面透過型スクリーン２Ａは、図３に示したとまったく同様に、水平方向の三角形断面微小突条４と、微小突条４の一方の側面に設けた遮光膜５と、微小突条４の他方の側面に設けた光透過可能な側面７と、三角形断面微小突条４の側と反対側の面に形成した広角光拡散シート２ｒとを備えている。
そして、この変形例では、背面透過型スクリーン２Ａは、その三角形断面微小突条４の側を透明板３の映像投写側Ｂの面に向けて、すなわちショーウインドウのガラスのような透明板３の内側の面に向けて取り付けられる。背面透過型スクリーンＡの透明板３の内側面への取り付けには、種々の手段を用いることができるが、図示の形態では、粘着テープ６０が用いられている。テープ６０は背面透過型スクリーンＡの４つの辺に沿って透明板３の内側の面に貼り付けられる。テープ６０は簡易接合手段として好適であって、背面透過型スクリーンＡを透明板３から取り外すときには、単に背面透過型スクリーンＡの４辺から剥がすだけでよい。図１８および図１９に示す背面透過型スクリーンＡの光学的作用、効果は、さきに説明したとまったく同様である。なお、この変形例では、背面透過型スクリーンＡはショーウインドウガラスのような透明板３の内側にあるので、透明板３によって外部の悪影響から保護される利点がある。
以上に実施の形態について説明した本発明の背面透過型スクリーンによれば、明光の下でも、観察側でスクリーンの表面に反射像の映り込みがなく、黒レベルの締まった高精彩の映像を得ることができ、しかも、大画面のスクリーンを安価にかつ短時間で構築することができる。
【図面の簡単な説明】
図１は、本発明の背面透過型スクリーンの一実施の形態の縦断面図である。
図２は図１の斜視図である。
図３は前部透明シートの斜視図である。
図４は広角光拡散シートの斜視図である。
図５は、斜め上方からの映像投写光に関しての前部透明シートの作用を説明する図である。
図６は、斜め下方からの映像投写光に関しての前部透明シートの作用を説明する図である。
図７は、外光に関しての前部透明シートの作用を説明する図である。
図８は、本発明による曲面状背面透過型スクリーンを示す斜視図である。
図９は、画像投映機の例を示す側面図である。
図１０は画像投映機の他の例を示す側面図である。
図１１は、本発明の背面透過型スクリーンの他の実施の形態の正面図である。
図１２は、図１１の背面透過型スクリーンの側面図である。
図１３は、図１１の実施の形態の変形例を示す斜視図である。
図１４は、図１１の実施の形態のさらに他の変形例を示す斜視図である。
図１５ないし図１７は、図１１の実施の形態の他の異なる変形例をそれぞれ示す斜視図である。
図１８は、図１１の実施の形態のさらに他の変形例を示す縦断面図である。
図１９は、図１８の変形例の立面図である。
【図１】
2002056112.tif 000003
【図２】
2002056112.tif 000004
【図３】
2002056112.tif 000005
【図４】
2002056112.tif 000006
【図５】
2002056112.tif 000007
【図６】
2002056112.tif 000008
【図７】
2002056112.tif 000009
【図８】
2002056112.tif 000010
【図９】
2002056112.tif 000011
【図１０】
2002056112.tif 000012
【図１１】
2002056112.tif 000013
【図１２】
2002056112.tif 000014
【図１３】
2002056112.tif 000015
【図１４】
2002056112.tif 000016
【図１５】
2002056112.tif 000017
【図１６】
2002056112.tif 000018
【図１７】
2002056112.tif 000019
【図１８】
2002056112.tif 000020
【図１９】
2002056112.tif 000021
【国際調査報告】
2002056112.tif 000022
2002056112.tif 000023
2002056112.tif 000024
2002056112.tif 000025